(57)【要約】【課題】筐体の内部で発生する熱を効率よく放熱することができ、筐体自体が高温になることを抑制することのできる画像形成装置を提供すること。【解決手段】  プリンタ１は、本体ケーシング２と、ドラム軸線Ａについて回転可能に構成される感光ドラム９と、本体ケーシング２内に収容される加熱ローラ１５とを備え、本体ケーシング２は、感光ドラム９に対して右方に配置される右アウタフレーム３０Ｒと、感光ドラム９に対して左方に配置される左アウタフレーム３０Ｌと、下壁２６と、上壁２５とを備え、右アウタフレーム３０Ｒおよび左アウタフレーム３０Ｌは、左右方向に投影したときに、加熱ローラ１５とが重なり、かつ、上方から上下方向に沿って見たときに面積を有する定着熱放熱領域６４を備えている。【選択図】図２
2015197523.tif 000002
【特許請求の範囲】
【請求項１】
筐体と、
前記筐体内に収容され、設置面と平行な第１方向に延びる軸線について回転可能に構成される像担持体と、
前記筐体内に収容される電気部品と
を備え、
前記筐体は、
前記像担持体に対して前記第１方向の一方に配置される第１外側壁と、
前記像担持体に対して前記第１方向の他方に配置される第２外側壁と、
底壁と、
天壁と
を備え、
前記第１外側壁の外面、および、前記第２外側壁の外面の少なくとも一方は、前記第１方向に投影したときに、前記電気部品と少なくとも一部が重なり、かつ、上方を向く第１領域を備えている
ことを特徴とする画像形成装置。
【請求項２】
ヒータを有する定着器を備え、
前記電気部品は、前記ヒータである
ことを特徴とする、請求項１に記載の画像形成装置。
【請求項３】
前記第１領域は、前記第１外側壁、および、前記第２外側壁の少なくとも一方において、前記第１方向と上下方向の両方と直交する第２方向全域にわたって延びていることを特徴とする、請求項１または２に記載の画像形成装置。
【請求項４】
前記第１外側壁が前記第１領域を備えており、前記第１領域は、下方から上方に向かうにつれて、前記第２外側壁に向かって傾斜しているか、または、
前記第２外側壁が前記第１領域を備えており、前記第１領域は、下方から上方に向かうにつれて、前記第１外側壁に向かって傾斜している
ことを特徴とする、請求項１〜３のいずれか一項に記載の画像形成装置。
【請求項５】
前記第１外側壁が前記第１領域を備えており、前記第１領域よりも、上方における前記第１外側壁は、前記第１領域から連続して、下方から上方に向かうにつれて、前記第２外側壁に向かって傾斜しているか、または、
前記第２外側壁が前記第１領域を備えており、前記第１領域よりも、上方における前記第２外側壁は、前記第１領域から連続して、下方から上方に向かうにつれて、前記第１外側壁に向かって傾斜している
ことを特徴とする、請求項４に記載の画像形成装置。
【請求項６】
前記筐体は、
前記第１方向において、前記第１外側壁と前記像担持体との間に配置される第１内側壁と、
前記第１方向において、前記第２外側壁と前記像担持体との間に配置される第２内側壁と
を備えていることを特徴とする、請求項１〜５のいずれか一項に記載の画像形成装置。
【請求項７】
前記筐体内に収容され、電気回路を有する回路基板を備え、
前記第１外側壁、および、前記第２外側壁の少なくとも一方は、前記第１方向に投影したときに、前記回路基板と少なくとも一部が重なり、かつ、上方を向く第２領域を備えている
ことを特徴とする、請求項６に記載の画像形成装置。
【請求項８】
前記回路基板は、前記第１外側壁と前記第１内側壁との間に配置され、
前記第２領域は、前記第１外側壁に備えられている
ことを特徴とする、請求項７に記載の画像形成装置。
【請求項９】
前記第２領域は、前記第１外側壁、および、前記第２外側壁の少なくとも一方において、前記第１方向と上下方向の両方と直交する第２方向全域にわたって延びていることを特徴とする、請求項７または８に記載の画像形成装置。
【請求項１０】
前記第１外側壁が前記第２領域を備えており、前記第２領域は、下方から上方に向かうにつれて、前記第２外側壁に向かって傾斜しているか、または、
前記第２外側壁が前記第２領域を備えており、前記第２領域は、下方から上方に向かうにつれて、前記第１外側壁に向かって傾斜している
ことを特徴とする、請求項７〜９のいずれか一項に記載の画像形成装置。
【請求項１１】
前記第１外側壁が前記第２領域を備えており、前記第２領域よりも、上方における前記第１外側壁は、前記第２領域から連続して、下方から上方に向かうにつれて、前記第２外側壁に向かって傾斜しているか、または、
前記第２外側壁が前記第２領域を備えており、前記第２領域よりも、上方における前記第２外側壁は、前記第２領域から連続して、下方から上方に向かうにつれて、前記第１外側壁に向かって傾斜している
ことを特徴とする、請求項１０に記載の画像形成装置。
【請求項１２】
前記筐体内に収容されるモータを備え、
前記第１外側壁、および、前記第２外側壁の少なくとも一方は、前記第１方向に投影したときに、前記モータと少なくとも一部が重なり、かつ、上方を向く第３領域を備えている
ことを特徴とする、請求項７〜１１のいずれか一項に記載の画像形成装置。
【請求項１３】
前記モータは、前記第２外側壁と前記第２内側壁との間に配置され、
前記第３領域は、前記第２外側壁に備えられている
ことを特徴とする、請求項１２に記載の画像形成装置。
【請求項１４】
前記第３領域は、前記第１外側壁、および、前記第２外側壁の少なくとも一方において、前記第１方向と上下方向の両方と直交する第２方向全域にわたって延びていることを特徴とする、請求項１２または１３に記載の画像形成装置。
【請求項１５】
前記第１外側壁が前記第３領域を備えており、前記第３領域は、下方から上方に向かうにつれて、前記第２外側壁に向かって傾斜しているか、または、
前記第２外側壁が前記第３領域を備えており、前記第３領域は、前記下方から上方に向かうにつれて、前記第２外側壁に向かって傾斜している
ことを特徴とする、請求項１２〜１４のいずれか一項に記載の画像形成装置。
【請求項１６】
前記第１外側壁が前記第３領域を備えており、前記第３領域よりも、上方における前記第１外側壁は、前記第３領域から連続して、下方から上方に向かうにつれて、前記第２外側壁に向かって傾斜しているか、または、
前記第２外側壁が前記第３領域を備えており、前記第３領域よりも、上方における前記第２外側壁は、前記第２領域から連続して、下方から上方に向かうにつれて、前記第１外側壁に向かって傾斜している
ことを特徴とする、請求項１５に記載の画像形成装置。
【請求項１７】
前記第１領域と、前記第２領域と、前記第３領域とは、前記第１方向に投影したときに、少なくとも一部が重ならない領域を備えていることを特徴とする、請求項１２〜１６のいずれか一項に記載の画像形成装置。
【請求項１８】
前記像担持体よりも下方に配置され、記録媒体が載置されるように構成される載置部を備え、
前記第１方向に投影したときに前記載置部と重なる前記第１内側壁と前記第２内側壁との前記第１方向における寸法は、前記第１方向に投影したときに前記像担持体と重なる前記第１内側壁と前記第２内側壁との前記第１方向における寸法よりも大きいことを特徴とする、請求項６〜１７のいずれか一項に記載の画像形成装置。
【請求項１９】
前記第１外側壁のすべてが、下方から上方に向かうにつれて、前記第２外側壁に向かって傾斜し、
前記第２外側壁のすべてが、下方から上方に向かうにつれて、前記第１外側壁に向かって傾斜している
ことを特徴とする、請求項１〜１８のいずれか一項に記載の画像形成装置。
【請求項２０】
前記底壁は、前記設置面と接触される複数の脚部を備え、
前記第１外側壁が前記第１領域を備えている場合には、複数の前記脚部の少なくとも一部は、上下方向に投影したときに、前記天壁の前記第１方向の一端部よりも、前記第１方向の一方に配置され、
前記第２外側壁が前記第１領域を備えている場合には、複数の前記脚部の少なくとも一部は、上下方向に投影したときに、前記天壁の前記第１方向の他端部よりも、前記第１方向の他方に配置されている
ことを特徴とする、請求項１〜１９のいずれか一項に記載の画像形成装置。
【発明の詳細な説明】
【技術分野】
【０００１】
本発明は、記録媒体に画像を形成可能な画像形成装置に関する。
【背景技術】
【０００２】
画像形成装置として、中空略直方体の装置筐体の内部に定着装置を収容するプリンタが知られている。
【０００３】
このようなプリンタでは、画像形成装置を実行することにより、定着装置によって、記録用紙上の未定着トナーを定着させている（例えば、特許文献１参照）。
【先行技術文献】
【特許文献】
【０００４】
【特許文献１】特開２０１０−２１７７７４号公報
【発明の概要】
【発明が解決しようとする課題】
【０００５】
しかるに、上記した特許文献１に記載のプリンタにおいて、記録用紙への未定着トナーの定着には、定着装置から発生する熱を利用している。そうすると、定着装置から発生する熱によって、装置筐体内の内部の温度が上昇し、装置筐体内に配置される他の機器の不具合を発生したり、装置筐体自体が高温となる場合がある。
【０００６】
そこで、本発明の目的は、筐体の内部で発生する熱を効率よく放熱することができ、筐体自体が高温になることを抑制することのできる画像形成装置を提供することにある。
【課題を解決するための手段】
【０００７】
（１）上記した目的を達成するために、本発明の画像形成装置は、筐体と、筐体内に収容され、設置面と平行な第１方向に延びる軸線について回転可能に構成される像担持体と、筐体内に収容される電気部品とを備え、筐体は、像担持体に対して第１方向の一方に配置される第１外側壁と、像担持体に対して第１方向の他方に配置される第２外側壁と、底壁と、天壁とを備え、第１外側壁の外面、および、第２外側壁の外面の少なくとも一方は、第１方向に投影したときに、電気部品と少なくとも一部が重なり、かつ、上方を向く第１領域を備えている。
【０００８】
このような構成によれば、第１領域は、設置面と平行な第１方向の一方に配置される第１外側壁、および、第１方向の他方に配置される第２外側壁の少なくとも一方、つまり、筐体の側部に配置されている。そして、第１領域は、第１方向に投影したときに電気部品と少なくとも一部が重なる一方、筐体の側部において、上方を向く、すなわち上方から見て面積を有するように構成されている。
【０００９】
そのため、第１領域が上方から見て面積を有しているので、第１領域を有する第１外側壁、および、第２外側壁の両方が、上下方向に沿っている場合と比較して、筐体と外気との接触面積を大きく確保することができる。
【００１０】
なお、電気部品は、電力が供給されると熱が発生する。
【００１１】
その結果、筐体内において、電気部品から発生し、上方へ向かう熱を、第１領域を介して、効率よく放熱することができ、筐体自体が高温になることを抑制することができる。
（２）また、ヒータを有する定着器を備え、電気部品は、ヒータであってもよい。
【００１２】
このような構成によれば、ヒータによって、筐体内の温度が過度に上昇することを抑制することができる。
（３）また、第１領域は、第１外側壁、および、第２外側壁の少なくとも一方において、第１方向と上下方向の両方と直交する第２方向全域にわたって延びていてもよい。
【００１３】
このような構成によれば、第１領域が第２方向全域にわたって延びているので、筐体と外気との接触面積をより大きく確保することができる。
【００１４】
そのため、筐体内において、電気部品から発生する熱を、第１領域を介して、より効率よく放熱することができる。
（４）また、第１外側壁が第１領域を備えており、第１領域は、下方から上方に向かうにつれて、第２外側壁に向かって傾斜しているか、または、第２外側壁が第１領域を備えており、第１領域は、下方から上方に向かうにつれて、第１外側壁に向かって傾斜していてもよい。
【００１５】
このような構成によれば、第１外側壁、および、第２外側壁の少なくとも一方において、傾斜する領域を形成するという簡易な構成により、第１領域を画定することができる。
（５）また、第１外側壁が第１領域を備えており、第１領域よりも、上方における第１外側壁は、第１領域から連続して、下方から上方に向かうにつれて、第２外側壁に向かって傾斜しているか、または、第２外側壁が第１領域を備えており、第１領域よりも、上方における第２外側壁は、第１領域から連続して、下方から上方に向かうにつれて、第１外側壁に向かって傾斜していてもよい。
【００１６】
このような構成によれば、第１領域よりも上方の領域においても、第１領域と同様に傾斜している。
【００１７】
そのため、筐体と外気との接触面積をより大きく確保することができる。
（６）また、筐体は、第１方向において、第１外側壁と像担持体との間に配置される第１内側壁と、第１方向において、第２外側壁と像担持体との間に配置される第２内側壁とを備えていてもよい。
【００１８】
このような構成によれば、第１内側壁および第２内側壁を備えるという簡易な構成により、筐体の剛性を高めることができる。
（７）また、筐体内に収容され、電気回路を有する回路基板を備え、第１外側壁、および、第２外側壁の少なくとも一方は、第１方向に投影したときに、回路基板と少なくとも一部が重なり、かつ、上方を向く第２領域を備えていてもよい。
【００１９】
このような構成によれば、第２領域は、設置面と平行な第１方向の一方に配置される第１外側壁、および、第１方向の他方に配置される第２外側壁の少なくとも一方、つまり、筐体の側部に配置されている。そして、第２領域は、第１方向に投影したときに回路基板と少なくとも一部が重なる一方、筐体の側部において、上方を向く、すなわち上方から見て面積を有するように構成されている。
【００２０】
そのため、第２領域が上方から見て面積を有しているので、第２領域を有する第１外側壁、および、第２外側壁の両方が、上下方向に沿っている場合と比較して、筐体と外気との接触面積を大きく確保することができる。
【００２１】
なお、回路基板は、通電されることにより、熱を発生する。
【００２２】
その結果、筐体内において、回路基板から発生し、上方へ向かう熱を、第２領域を介して、効率よく放熱することができ、筐体自体が高温になることを抑制することができる。
（８）また、回路基板は、第１外側壁と第１内側壁との間に配置され、第２領域は、第１外側壁に備えられていてもよい。
【００２３】
このような構成によれば、第２領域を、回路基板の近傍に配置することができるので、回路基板から発生する熱を確実に放熱することができる。
（９）また、第２領域は、第１外側壁、および、第２外側壁の少なくとも一方において、第１方向と上下方向の両方と直交する第２方向全域にわたって延びていてもよい。
【００２４】
このような構成によれば、第２領域が第２方向全域にわたって延びているので、筐体と外気との接触面積をより大きく確保することできる。
【００２５】
そのため、筐体内において、回路基板から発生する熱を、第２領域を介して、より効率よく放熱することができる。
（１０）また、第１外側壁が第２領域を備えており、第２領域は、下方から上方に向かうにつれて、第２外側壁に向かって傾斜しているか、または、第２外側壁が第２領域を備えており、第２領域は、下方から上方に向かうにつれて、第１外側壁に向かって傾斜していてもよい。
【００２６】
このような構成によれば、第１外側壁、および、第２外側壁の少なくとも一方において、傾斜する領域を形成するという簡易な構成により、第２領域を画定することができる。
（１１）また、第１外側壁が第２領域を備えており、第２領域よりも、上方における第１外側壁は、第２領域から連続して、下方から上方に向かうにつれて、第２外側壁に向かって傾斜しているか、または、第２外側壁が第２領域を備えており、第２領域よりも、上方における第２外側壁は、第２領域から連続して、下方から上方に向かうにつれて、第１外側壁に向かって傾斜していてもよい。
【００２７】
このような構成によれば、第２領域よりも上方の領域においても、第２領域と同様に傾斜している。
【００２８】
そのため、筐体と外気との接触面積をより大きく確保することができる。
（１２）また、筐体内に収容されるモータを備え、第１外側壁、および、第２外側壁の少なくとも一方は、第１方向に投影したときに、モータと少なくとも一部が重なり、かつ、上方を向く第３領域を備えていてもよい。
【００２９】
このような構成によれば、第３領域は、設置面と平行な第１方向の一方に配置される第１外側壁、および、第１方向の他方に配置される第２外側壁の少なくとも一方、つまり、筐体の側部に配置されている。そして、第３領域は、第１方向に投影したときにモータと少なくとも一部が重なる一方、筐体の側部において、上方を向く、すなわち上方から見て面積を有するように構成されている。
【００３０】
そのため、第３領域が上方から見て面積を有しているので、第３領域を有する第１外側壁、および、第２外側壁の両方が、上下方向に沿っている場合と比較して、筐体と外気との接触面積を大きく確保することができる。
【００３１】
なお、モータは、駆動力が入力されることにより、熱を発生する。
【００３２】
その結果、筐体内において、モータから発生し、上方へ向かう熱を、第３領域を介して、効率よく放熱することができ、筐体自体が高温になることを抑制することができる。
（１３）また、モータは、第２外側壁と第２内側壁との間に配置され、第３領域は、第２外側壁に備えられていてもよい。
【００３３】
このような構成によれば、第３領域を、モータの近傍に配置することができるので、モータから発生する熱を確実に放熱することができる。
（１４）また、第３領域は、第１外側壁、および、第２外側壁の少なくとも一方において、第１方向と上下方向の両方と直交する第２方向全域にわたって延びていてもよい。
【００３４】
このような構成によれば、第３領域が第２方向全域にわたって延びているので、筐体と外気との接触面積をより大きく確保することができる。
【００３５】
そのため、筐体内において、モータから発生する熱を、第３領域を介して、より効率よく放熱することができる。
（１５）また、第１外側壁が第３領域を備えており、第３領域は、下方から上方に向かうにつれて、第２外側壁に向かって傾斜しているか、または、第２外側壁が第３領域を備えており、第３領域は、下方から上方に向かうにつれて、第２外側壁に向かって傾斜していてもよい。
【００３６】
このような構成によれば、第１外側壁、および、第２外側壁の少なくとも一方において、傾斜する領域を形成するという簡易な構成により、第３領域を画定することができる。
（１６）また、第１外側壁が第３領域を備えており、第３領域よりも、上方における第１外側壁は、第３領域から連続して、下方から上方に向かうにつれて、第２外側壁に向かって傾斜しているか、または、第２外側壁が第３領域を備えており、第３領域よりも、上方における第２外側壁は、第２領域から連続して、下方から上方に向かうにつれて、第１外側壁に向かって傾斜していてもよい。
【００３７】
このような構成によれば、第３領域よりも上方の領域においても、第３領域と同様に傾斜している。
【００３８】
そのため、筐体と外気との接触面積をより大きく確保することができる。
（１７）また、第１領域と、第２領域と、第３領域とは、第１方向に投影したときに、少なくとも一部が重ならない領域を備えていてもよい。
【００３９】
このような構成によれば、第１領域と、第２領域と、第３領域との、少なくとも一部が重なっていないので、筐体と外気とが接触する領域を多く確保することができる。
【００４０】
そのため、より効率よく、筐体内の熱を放熱することができる。
（１８）また、像担持体よりも下方に配置され、記録媒体が載置されるように構成される載置部を備え、第１方向に投影したときに載置部と重なる第１内側壁と第２内側壁との第１方向における寸法は、第１方向に投影したときに像担持体と重なる第１内側壁と第２内側壁との第１方向における寸法よりも大きくてもよい。
【００４１】
このような構成によれば、筐体の小型化を図ることができながら、記録媒体が載置される載置部は大きく確保することができる。
（１９）また、第１外側壁のすべてが、下方から上方に向かうにつれて、第２外側壁に向かって傾斜し、第２外側壁のすべてが、下方から上方に向かうにつれて、第１外側壁に向かって傾斜していてもよい。
【００４２】
このような構成によれば、第１外側壁、および、第２外側壁のすべてを傾斜させることで、筐体内の熱をより一層効率良く放熱することができる。
（２０）また、底壁は、設置面と接触される複数の脚部を備え、第１外側壁が第１領域を備えている場合には、複数の脚部の少なくとも一部は、上下方向に投影したときに、天壁の第１方向の一端部よりも、第１方向の一方に配置され、第２外側壁が第１領域を備えている場合には、複数の脚部の少なくとも一部は、上下方向に投影したときに、天壁の第１方向の他端部よりも、第１方向の他方に配置されていてもよい。
【００４３】
このような構成によれば、複数の脚部の少なくとも一部が、筐体の重心から離れた位置に配置されるので、筐体を設置面に対して、安定して設置することができる。
【発明の効果】
【００４４】
本発明の画像形成装置では、筐体の内部で発生する熱を効率よく放熱することができ、筐体自体が高温となることを抑制することができる。
【図面の簡単な説明】
【００４５】
【図１】図１は、本発明の画像形成装置の第１実施形態としてのプリンタの中央断面図である。
【図２】図２は、図１に示すプリンタの正断面図である。なお、図２では、便宜的に、プリンタ内の部材を一部省略している。
【図３】図３Ａは、図１に示すプリンタの右側面図である。図３Ｂは、図１に示すプリンタの左側面図である。
【図４】図４Ａは、図１に示すプリンタを右前方から見た斜視図である。図４Ｂは、図１に示すプリンタを左後方から見た斜視図である。
【図５】図５は、図１に示すプリンタの底面図である。
【図６】図６Ａは、本発明の第２実施形態のプリンタの正断面図である。図６Ｂは、本発明の第３実施形態のプリンタの正面図である。
【図７】図７Ａは、本発明の第４実施形態のプリンタの正断面図である。図７Ｂは、本発明の第５実施形態のプリンタの正面図である。
【図８】図８Ａは、本発明におけるプリンタの変形例の正断面図であって、右アウタフレームが上下方向に沿って延びている状態を示す。図８Ｂは、本発明におけるプリンタの変形例の正断面図であって、左アウタフレームが上下方向に沿って延びている状態を示す。
【発明を実施するための形態】
【００４６】
１．プリンタの全体構成
図１に示すように、画像形成装置の一例としてのプリンタ１は、筐体の一例としての本体ケーシング２と、プロセスユニット４と、スキャナユニット５と、定着器の一例としての定着ユニット６とを備えている。
【００４７】
なお、以下の説明において、プリンタ１の方向に言及するときには、プリンタ１を設置面Ｓに載置した状態を上下の基準とする。すなわち、図１の紙面上方が上方であり、紙面下方が下方である。また、図１の紙面左方が前方であり、図１の紙面右方が後方である。また、プリンタ１を前方から見たときを左右の基準とする。すなわち、図１の紙面手前が右方であり、紙面奥が左方である。左右方向が第１方向の一例であり、前後方向が第２方向の一例である。
【００４８】
本体ケーシング２は、略ボックス形状を有している。
【００４９】
プロセスユニット４は、本体ケーシング２内の上下方向略中央に配置されている。プロセスユニット４は、ドラムユニット７と、現像ユニット８とを備えている。
【００５０】
ドラムユニット７は、像担持体の一例としての感光ドラム９と、転写ローラ１０と、スコロトロン型帯電器１１とを備えている。
【００５１】
感光ドラム９は、左右方向に延びる軸線の一例としてのドラム軸線Ａを中心とする略円筒形状を有している。感光ドラム９は、ドラムユニット７の後端部に回転可能に支持されている。
【００５２】
転写ローラ１０は、感光ドラム９の後方に配置されている。転写ローラ１０の前端部は、感光ドラム９の後端部に接触している。
【００５３】
スコロトロン型帯電器１１は、感光ドラム９の前上方に間隔を隔てて配置されている。
【００５４】
現像ユニット８は、内部にトナーを収容しており、現像ローラ１２と、供給ローラ１３と、層厚規制ブレード１４とを備えている。
【００５５】
現像ローラ１２は、現像ユニット８の後端部に回転可能に支持されている。現像ローラ１２の後端部は、感光ドラム９の前端部に接触している。
【００５６】
供給ローラ１３は、現像ローラ１２の前下方に配置されている。供給ローラ１３の後上端部は、現像ローラ１２の前下端部に接触している。
【００５７】
層厚規制ブレード１４は、現像ローラ１２の前上方に配置されている。層厚規制ブレード１４の下端部は、現像ローラ１２の前端部に接触している。
【００５８】
スキャナユニット５は、本体ケーシング２の上下方向略中央において、プロセスユニット４よりも前上方に配置されている。スキャナユニット５は、感光ドラム９に向けて画像データに基づくレーザービームＬを出射し、感光ドラム９の周面を露光する。
【００５９】
定着ユニット６は、本体ケーシング２の後上端部において、プロセスユニット４の上方に配置されている。定着ユニット６は、電気抵抗体を有する電気部品およびヒータの一例としての加熱ローラ１５と、加熱ローラ１５の後上方に配置される加圧ローラ１６とを備えている。
【００６０】
そして、プリンタ１に印刷ジョブが入力され、画像形成動作が開始されると、現像ユニット８内のトナーは、供給ローラ１３と現像ローラ１２との間で摩擦帯電され、層厚規制ブレード１４によって厚さが規制されて、一定厚さの薄層として現像ローラ１２の表面に担持される。
【００６１】
一方、感光ドラム９の表面は、スコロトロン型帯電器１１によって一様に帯電された後、スキャナユニット５によって露光される。これにより、画像データに基づく静電潜像が、感光ドラム９の表面に形成される。そして、現像ローラ１２に担持されるトナーが感光ドラム９の表面上の静電潜像に供給されることにより、感光ドラム９の表面上にトナー像が担持される。
【００６２】
本体ケーシング２の底部に配置される載置部の一例としての給紙トレイ１７に載置された記録媒体の一例としての用紙Ｐは、各種ローラの回転により、所定のタイミングで１枚ずつ、感光ドラム９と転写ローラ１０との間に給紙される。そして、用紙Ｐには、感光ドラム９と転写ローラ１０との間を通過するときに、トナー像が転写され、画像が形成される。
【００６３】
続いて、用紙Ｐは、加熱ローラ１５と加圧ローラ１６との間を通過するときに加熱および加圧される。このとき、用紙Ｐには、画像が熱定着される。その後、用紙Ｐは、本体ケーシング２の上部に配置される排紙トレイ１８に排紙される。
【００６４】
このように用紙Ｐは、プリンタ１の画像形成動作において、給紙トレイ１７から排紙トレイ１８へ、側面視略Ｃ字状に搬送される。
２．本体ケーシングの詳細
本体ケーシング２は、図１および図２に示すように、右壁２１と、左壁２２と、前壁２３と、後壁２４と、天壁の一例としての上壁２５と、底壁の一例としての下壁２６とを備えている。
【００６５】
なお、以下の説明において、右壁２１および左壁２２における同一名称の部材において、右壁２１の部材の冒頭に右を、末尾にＲを付し、左壁２２の部材の冒頭に左を、末尾にＬを付すものとする。
【００６６】
右壁２１は、図２および図３Ａに示すように、本体ケーシング２の右端部に配置されている。右壁２１は、第１外側壁の一例としての右アウタフレーム３０Ｒと、第１内側壁の一例としての右インナフレーム３１Ｒとを備えている。
【００６７】
右アウタフレーム３０Ｒは、右壁２１の右方部分であって、感光ドラム９よりも右方に配置されている。右アウタフレーム３０Ｒは、上下前後方向に延びる側面視略矩形の略板状を有している。右アウタフレーム３０Ｒの前端縁は、下方から上方に向かうにつれて、わずかに後方に傾斜している。右アウタフレーム３０Ｒの後端縁は、上下方向に沿って延びている。
【００６８】
また、右アウタフレーム３０Ｒは、下方から上方に向かうにつれて、左方に、すなわち左壁２２に向かって傾斜している。つまり、右アウタフレーム３０Ｒの外面は、右アウタフレーム３０Ｒの内面よりも上方に重なっている。
【００６９】
なお、詳しくは後述するが、右アウタフレーム３０Ｒは、本体ケーシング２内部に配置される加熱ローラ１５および回路基板６０から発生する熱を放熱するための領域である右定着熱放熱領域６４Ｒおよび回路熱放熱領域６５を有している。
【００７０】
右インナフレーム３１Ｒは、図２に示すように、右壁２１の左方部分であって、右アウタフレーム３０Ｒに対して、左方に間隔を空けて配置されている。右インナフレーム３１Ｒは、右アウタフレーム３０Ｒと感光ドラム９との間に配置されている。右インナフレーム３１Ｒは、正断面視略クランク状の略板状を有している。詳しくは、右インナフレーム３１Ｒは、上部プレート３５と、中部プレート３６と、下部プレート３７とを備えている。
【００７１】
上部プレート３５は、右インナフレーム３１Ｒの上方部分であって、上下前後方向に延びる側面視略矩形の略板状を有している。
【００７２】
中部プレート３６は、上部プレート３５の下端縁から連続して、右方に屈折する前後方向に長手の平面視略矩形の略板状を有している。
【００７３】
下部プレート３７は、右インナフレーム３１Ｒの下方部分であって、中部プレート３６の右端縁から連続して、下方に屈折する前後方向に長手の側面視略矩形の略板状を有している。
【００７４】
そして、右壁２１において、右アウタフレーム３０Ｒと、右インナフレーム３１Ｒとの間の空間が、右エンクロージャ３９Ｒとして画定されている。
【００７５】
左壁２２は、図２および図３Ｂに示すうように、本体ケーシング２の左端部に配置されている。左壁２２は、第２外側壁の一例としての左アウタフレーム３０Ｌと、第２内側壁の一例としての左インナフレーム３１Ｌとを備えている。
【００７６】
左アウタフレーム３０Ｌは、左壁２２の左方部分であって、感光ドラム９よりも左方に配置されている。左アウタフレーム３０Ｌは、上下前後方向に延びる側面視略矩形の略板状を有している。左アウタフレーム３０Ｌは、左右方向に投影したときに、右アウタフレーム３０Ｒと、その外形が一致している。つまり、左アウタフレーム３０Ｌの前端縁は、下方から上方に向かうにつれて、わずかに後方に傾斜しており、左アウタフレーム３０Ｌの後端縁は、上下方向に沿って延びている。
【００７７】
また、左アウタフレーム３０Ｌは、下方から上方に向かうにつれて、右方に、すなわち右壁２１に向かって傾斜している。つまり、左アウタフレーム３０Ｌの外面は、左アウタフレーム３０Ｌの内面よりも上方に重なっている。
【００７８】
なお、詳しくは後述するが、左アウタフレーム３０Ｌは、本体ケーシング２内部に配置される加熱ローラ１５およびモータ６１から発生する熱を放熱するための領域である左定着熱放熱領域６４Ｌおよびモータ熱放熱領域６６を有している。
【００７９】
左インナフレーム３１Ｌは、図２に示すように、左壁２２の右方部分であって、左アウタフレーム３０Ｌに対して、右方に間隔を空けて配置されている。左インナフレーム３１Ｌは、左アウタフレーム３０Ｌと感光ドラム９との間に配置されている。左インナフレーム３１Ｌは、正断面視略クランク状の略板状を有しており、上記した右インナフレーム３１Ｒと正面視において、左右対称となる上部プレート３５、中部プレート３６、および、下部プレート３７を備えている。つまり、左インナフレーム３１Ｌの下部プレート３７から、右インナフレーム３１Ｒの下部プレート３７までの左右方向寸法は、左インナフレーム３１Ｌの上部プレート３５から、右インナフレーム３１Ｒの上部プレート３５までの左右方向寸法よりも大きい。
【００８０】
そして、左壁２２において、左アウタフレーム３０Ｌと、左インナフレーム３１Ｌとの間の空間が、左エンクロージャ３９Ｌとして画定されている。
【００８１】
前壁２３は、図１および図４Ａに示すように、本体ケーシング２の前端部に配置されている。前壁２３は、フロントフレーム４２と、フロントカバー４３とを備えている。
【００８２】
フロントフレーム４２は、前壁２３の後方部分であって、上下左右方向に延びる正面視略矩形の略板状を有している。フロントフレーム４２は、右アウタフレーム３０Ｒの前端部、および、左アウタフレーム３０Ｌの前端部の間に架設されている。これにより、フロントフレーム４２は、下方から上方に向かうにつれて、わずかに後方に傾斜している。フロントフレーム４２は、給紙口４４を有している。
【００８３】
給紙口４４は、フロントフレーム４２の下端部における左右方向略中央部分を、正面視略矩形状に貫通している。給紙口４４は、本体ケーシング２内に給紙される用紙Ｐが通過可能なサイズを有している。
【００８４】
フロントカバー４３は、前壁２３の前方部分であって、フロントフレーム４２の前面に隣接するように、フロントフレーム４２を前方から被覆している。フロントカバー４３は、前後方向に投影したときに、その右端縁が右アウタフレーム３０Ｒの外面と面一であり、その左端縁が左アウタフレーム３０Ｌの外面と面一となる正面視略矩形の略板状を有している。また、フロントカバー４３は、その上端縁がフロントフレーム４２の上端部よりもわずかに上方に突出し、その下端縁がフロントフレーム４２の下端部よりもわずかに下方に突出している。そして、フロントカバー４３は、その下端部を支点として、フロントカバー４３を被覆し、給紙口４４を閉鎖する閉鎖位置と、給紙口４４を開放する開放位置とに揺動可能に構成されている。また、フロントカバー４３は、複数、すなわち２つの当接部４５を備えている。
【００８５】
２つの当接部４５は、それぞれ、フロントカバー４３の上端部における左右方向両端部に配置されている。当接部４５は、ゴムなどの弾性部材からなり、フロントカバー４３の前面から前方に向かって突出し、左右方向に延びる略半円柱形状を有している。当接部４５は、フロントカバー４３が開放位置に位置するときに、設置面Ｓと当接するように構成されている。
【００８６】
後壁２４は、図１および図４Ｂに示すように、本体ケーシング２の後端部に配置されており、背面視略矩形の略板状を有している。後壁２４は、右アウタフレーム３０Ｒの後端部、および、左アウタフレーム３０Ｌの後端部の間に架設されている。これにより、後壁２４は、上下方向に沿って延びている。
【００８７】
上壁２５は、図１および図４Ａに示すように、本体ケーシング２の上端部に配置されており、平面視略矩形の略板状を有している。上壁２５は、右アウタフレーム３０Ｒの上端部、および、左アウタフレーム３０Ｌの上端部との間に架設されるとともに、その前端部がフロントフレーム４２の上端部に連続し、その後端部が後壁２４の上端部に連続している。上壁２５は、窪部４７と、可動トレイ４８とを備えている。
【００８８】
窪部４７は、平面視における上壁２５の略中央部分から前端部にわたって、上壁２５の上面から下方に向かって窪んでいる。詳しくは、窪部４７は、可動トレイ収容部５０と、排紙部５１とを備えている。
【００８９】
可動トレイ収容部５０は、窪部４７の後方部分であって、上壁２５の上面から下方に向かって平面視略矩形状に窪んでいる。
【００９０】
排紙部５１は、可動トレイ収容部５０の前端部から連続して、上壁２５を上下方向に沿って下方に向かって屈折する後壁と、後壁の下端部から前上方に向かって屈折する前壁とからなり、側断面視略直角三角形状に窪んでいる。排紙部５１は、排紙口５２と、上部載置面５３とを備えている。
【００９１】
排紙口５２は、排紙部５１の後壁における左右方向略中央部分を、正面視略矩形状に貫通している。排紙口５２は、本体ケーシング２の内外を連通し、本体ケーシング２から排出される用紙Ｐの通過を許容可能なサイズを有している。
【００９２】
上部載置面５３は、排紙部５１の前壁において、後下方と前上方とを結ぶ方向に沿って延び、後上方に臨む面であって、排紙口５２から排出される用紙Ｐを載置可能に構成されている。
【００９３】
可動トレイ４８は、平面視略矩形の略板状を有している。上部載置面５３の前上端部を支点として、排紙部５１を被覆し、可動トレイ収容部５０に収容される収容位置と、上部載置面５３の前上端から前上方に向かって延びるように位置する排紙位置とに回動可能に構成されている。
【００９４】
そして、可動トレイ４８は、排紙位置に位置するときに、上部載置面５３とともに、上記した排紙トレイ１８として構成される。
【００９５】
下壁２６は、図１に示すように、本体ケーシング２の下端部に配置されており、底面視略矩形の厚板形状を有している。つまり、下壁２６の下面は、設置面Ｓと上下方向において向かい合っている。下壁２６は、右アウタフレーム３０Ｒの下端部、および、左アウタフレーム３０Ｌの下端部の間に架設されるとともに、その前端部がフロントフレーム４２の下端部に連続し、その後端部が後壁２４の下端部に連続している。
【００９６】
下壁２６の前方部分における右インナフレーム３１Ｒの下部プレート３７と、左インナフレーム３１Ｌの下部プレート３７との間の上面は、下部載置面５６として画定されている。
【００９７】
下部載置面５６の前端縁は、前壁２３のフロントカバー４３が開放位置に位置したときに、前壁２３のフロントフレーム４２の給紙口４４を介して、フロントカバー４３の前端縁と連続するように構成されている。つまり、下部載置面５６は、フロントカバー４３が開放位置に位置するときに、フロントカバー４３、右インナフレーム３１Ｒの下部プレート３７、および、左インナフレーム３１Ｌの下部プレート３７とともに、給紙トレイ１７として構成される。
【００９８】
また、下壁２６は、図５に示すように、複数、すなわち４つの脚部５７を備えている。
【００９９】
脚部５７は、ゴムなどの弾性部材からなり、底面視略矩形の略板状を有している。４つの脚部５７は、下壁２６の下面の４つの角にそれぞれ接着剤などにより接着されている。なお、右方の２つの脚部５７のそれぞれは、上下方向に投影したときに、その一部が上壁２５の右端縁よりも右方となるように配置されている。また、左方の２つの脚部５７のそれぞれは、上下方向に投影したときに、その一部が上壁２５の左端縁よりも左方となるように配置されている。
【０１００】
また、本体ケーシング２において、図１に示すように、前後方向における後壁２４からフロントフレーム４２までの最大寸法Ｍ１は、Ａ４サイズの用紙Ｐの横の寸法２１０ｍｍよりも小さい。
【０１０１】
また、上下方向における下壁２６から上壁２５までの最大寸法Ｍ２は、Ａ４サイズの用紙Ｐの縦の寸法２９７ｍｍよりも小さい。
【０１０２】
つまり、前後方向における後壁２４からフロントフレーム４２までの最大寸法Ｍ１は、上下方向における下壁２６から上壁２５までの最大寸法Ｍ２よりも小さい。
【０１０３】
また、図示しないが、給紙口４４の左右方向寸法、および、排紙口５２の左右方向寸法は、Ａ４サイズの用紙Ｐの横の寸法２１０ｍｍよりも大きい。
３．加熱ローラ、回路基板およびモータの配置
次いで、画像形成動作が実行されることにより、プリンタ１内において、高温となる部材の配置について、詳述する。
【０１０４】
定着ユニット６の加熱ローラ１５は、図２に示すように、右インナフレーム３１Ｒと、左インナフレーム３１Ｌとの間に配置されている。具体的には、加熱ローラ１５は、右インナフレーム３１Ｒの上部プレート３５の後上端部、および、左インナフレーム３１Ｌの上部プレート３５の後上端部の間に回転可能に支持されている。
【０１０５】
また、プリンタ１は、回路基板６０と、モータ６１とをさらに備えている。
【０１０６】
回路基板６０は、プリンタ１の画像形成動作を制御するように構成されており、図３Ａに示すように、側面視略矩形の略板状を有している。回路基板６０は、右壁２１の右エンクロージャ３９Ｒ内に配置されている。具体的には、回路基板６０は、図２および図３Ａに示すように、右インナフレーム３１Ｒと右アウタフレーム３０Ｒとの間であって、右インナフレーム３１Ｒの上部プレート３５の下端部における前後方向略中央部分に隣接配置されている。また、回路基板６０は、感光ドラム９および加熱ローラ１５よりも下方に配置されている。
【０１０７】
モータ６１は、感光ドラム９、現像ローラ１２などのプリンタ１内の種々の回転体を駆動させるための駆動力を発生するように構成されている。モータ６１は、図示しないが、各種ギアを介して、感光ドラム９、現像ローラ１２などの種々の回転体に駆動力を伝達するように構成されている。モータ６１は、図２および図３Ｂに示すように、左エンクロージャ３９Ｌ内に配置されている。具体的には、モータ６１は、左インナフレーム３１Ｌと左アウタフレーム３０Ｌとの間であって、左インナフレーム３１Ｌの上部プレート３５の上下方向略中央のやや前方部分に隣接配置されている。また、モータ６１は、上下方向において、加熱ローラ１５よりも下方であり、回路基板６０よりも上方に配置されている。
４．放熱領域
プリンタ１において、右壁２１の右アウタフレーム３０Ｒ、および、左壁２２の左アウタフレーム３０Ｌは、上記した加熱ローラ１５、回路基板６０、および、モータ６１から発生する熱を効率よく放熱するための放熱領域を備えている。
【０１０８】
具体的には、右壁２１の右アウタフレーム３０Ｒは、図２および図３Ａに示すように、第１領域の一例としての右定着熱放熱領域６４Ｒと、第２領域の一例としての回路熱放熱領域６５とを備えており、左壁２２の左アウタフレーム３０Ｌは、図２および図３Ｂに示すように、第１領域の一例としての左定着熱放熱領域６４Ｌと、第３領域の一例としてのモータ熱放熱領域６６とを備えている。
【０１０９】
右定着熱放熱領域６４Ｒは、図２および図３Ａに示すように、右アウタフレーム３０Ｒにおいて、左右方向に投影したときに、加熱ローラ１５と重なっており、加熱ローラ１５の上下方向寸法と同一の幅をもって、右アウタフレーム３０Ｒの前後方向全域にわたって延びる領域である。右定着熱放熱領域６４Ｒは、下方から上方に向かうにつれて、左壁２２に向かって傾斜している。言い換えると、右定着熱放熱領域６４Ｒは、上方から上下方向に沿って見たときに面積を有している。なお、右アウタフレーム３０Ｒは、その全体が下方から上方に向かうにつれて、左壁２２に向かって傾斜していることにより、右定着熱放熱領域６４Ｒと同様に、右定着熱放熱領域６４Ｒよりも上方部分が右定着熱放熱領域６４Ｒの上端縁から連続して、上方に向かうにつれて、左壁２２に向かって傾斜している。
【０１１０】
このように、右定着熱放熱領域６４Ｒが傾斜していることにより、右アウタフレーム３０Ｒが垂直である場合と比較して、右壁２１の右アウタフレーム３０Ｒにおける外気との接触面積が大きく確保され、加熱ローラ１５が高温となることにより温められる右エンクロージャ３９Ｒ内の空気が効率よく自然冷却される。
【０１１１】
回路熱放熱領域６５は、右アウタフレーム３０Ｒにおいて、左右方向に投影したときに、回路基板６０と重なっており、回路基板６０の上下方向寸法と同一の幅をもって、右アウタフレーム３０Ｒの前後方向全域にわたって延びる領域である。回路熱放熱領域６５は、下方から上方に向かうにつれて、左壁２２に向かって傾斜している。言い換えると、回路熱放熱領域６５は、上方から上下方向に沿って見たときに面積を有している。なお、右アウタフレーム３０Ｒは、その全体が下方から上方に向かうにつれて、左壁２２に向かって傾斜していることにより、回路熱放熱領域６５と同様に、回路熱放熱領域６５よりも上方部分が回路熱放熱領域６５の上端縁から連続して、上方に向かうにつれて、左壁２２に向かって傾斜している。
【０１１２】
このように、回路熱放熱領域６５が傾斜していることにより、右アウタフレーム３０Ｒが垂直である場合と比較して、右壁２１の右アウタフレーム３０Ｒにおける外気との接触面積が大きく確保され、回路基板６０が高温となることにより温められる右エンクロージャ３９Ｒ内の空気が効率よく自然冷却される。
【０１１３】
左定着熱放熱領域６４Ｌは、図２および図３Ｂに示すように、左アウタフレーム３０Ｌにおいて、左右方向に投影したときに、加熱ローラ１５と重なっており、加熱ローラ１５の上下方向寸法と同一の幅をもって、左アウタフレーム３０Ｌの前後方向全域にわたって延びる領域である。左定着熱放熱領域６４Ｌは、下方から上方に向かうにつれて、右壁２１に向かって傾斜している。言い換えると、左定着熱放熱領域６４Ｌは、上方から上下方向に沿って見たときに面積を有している。なお、左アウタフレーム３０Ｌは、その全体が下方から上方に向かうにつれて、右壁２１に向かって傾斜していることにより、左定着熱放熱領域６４Ｌと同様に、左定着熱放熱領域６４Ｌよりも上方部分が左定着熱放熱領域６４Ｌの上端縁から連続して、上方に向かうにつれて、右壁２１に向かって傾斜している。
【０１１４】
このように、左定着熱放熱領域６４Ｌが傾斜していることにより、左アウタフレーム３０Ｌが垂直である場合と比較して、左壁２２の左アウタフレーム３０Ｌにおける外気との接触面積が大きく確保され、加熱ローラ１５が高温となることにより温められる左エンクロージャ３９Ｌ内の空気が効率よく自然冷却される。
【０１１５】
モータ熱放熱領域６６は、左アウタフレーム３０Ｌにおいて、左右方向に投影したときに、モータ６１と重なっており、モータ６１の上下方向寸法と同一の幅をもって、左アウタフレーム３０Ｌの前後方向全域にわたって延びる領域である。モータ熱放熱領域６６は、下方から上方に向かうにつれて、右壁２１に向かって傾斜している。言い換えると、モータ熱放熱領域６６は、上方から上下方向に沿って見たときに面積を有している。なお、左アウタフレーム３０Ｌは、その全体が下方から上方に向かうにつれて、右壁２１に向かって傾斜していることにより、モータ熱放熱領域６６と同様に、モータ熱放熱領域６６よりも上方部分がモータ熱放熱領域６６の上端縁から連続して、上方に向かうにつれて、右壁２１に向かって傾斜している。
【０１１６】
このように、モータ熱放熱領域６６が傾斜していることにより、左アウタフレーム３０Ｌが垂直である場合と比較して、左壁２２の左アウタフレーム３０Ｌにおける外気との接触面積が大きく確保され、モータ６１が高温となることにより温められる左エンクロージャ３９Ｌ内の空気が効率よく自然冷却される。
５．作用効果
（１）このプリンタ１によれば、図２に示すように、定着熱放熱領域６４は、本体ケーシング２の右アウタフレーム３０Ｒおよび左アウタフレーム３０Ｌのそれぞれに配置されている。そして、定着熱放熱領域６４は、左右方向に投影したときに加熱ローラ１５と重なる一方、上方から上下方向に沿って見たときに面積を有するように構成されている。
【０１１７】
そのため、定着熱放熱領域６４が上方から見て面積を有しているので、定着熱放熱領域６４を有する右アウタフレーム３０Ｒ、および、左アウタフレーム３０Ｌの両方が、上下方向に沿っている場合と比較して、本体ケーシング２と外気との接触面積を大きく確保することができる。
【０１１８】
その結果、本体ケーシング２内において、加熱ローラ１５から発生し、上方へ向かう熱を、定着熱放熱領域６４を介して、効率よく放熱することができ、本体ケーシング２自体が高温になることを抑制することができる。
（２）また、このプリンタ１によれば、図２に示すように、右アウタフレーム３０Ｒおよび左アウタフレーム３０Ｌが定着熱放熱領域６４を有していることにより、加熱ローラ１５によって、本体ケーシング２内の温度が過度に上昇することを、抑制することができる。
（３）また、このプリンタ１によれば、図３Ａおよび図３Ｂに示すように、右アウタフレーム３０Ｒおよび左アウタフレーム３０Ｌにおいて、定着熱放熱領域６４が前後方向全域にわたって延びているので、本体ケーシング２と外気との接触面積をより大きく確保することができる。
【０１１９】
そのため、本体ケーシング２内において、加熱ローラ１５から発生する熱を、定着熱放熱領域６４を介して、より効率よく放熱することができる。
（４）また、このプリンタ１によれば、図２に示すように、右アウタフレーム３０Ｒ、および、左アウタフレーム３０Ｌにおいて、傾斜する領域を形成するという簡易な構成により、定着熱放熱領域６４を画定することができる。
（５）また、このプリンタ１によれば、図２に示すように、右アウタフレーム３０Ｒおよび左アウタフレーム３０Ｌでは、定着熱放熱領域６４よりも上方の領域においても、定着熱放熱領域６４と同様に傾斜している。
【０１２０】
そのため、本体ケーシング２と外気との接触面積をより大きく確保することができる。
（６）また、このプリンタ１によれば、図２に示すように、右インナフレーム３１Ｒおよび左インナフレーム３１Ｌを備えるという簡易な構成により、本体ケーシング２の剛性を高めることができる。
（７）また、このプリンタ１によれば、図２に示すように、回路熱放熱領域６５は、本体ケーシング２の右アウタフレーム３０Ｒに配置されている。そして、回路熱放熱領域６５は、左右方向に投影したときに回路基板６０と重なる一方、上方から上下方向に沿って見たときに面積を有するように構成されている。
【０１２１】
そのため、回路熱放熱領域６５が上方から見て面積を有しているので、回路熱放熱領域６５を有する右アウタフレーム３０Ｒが、上下方向に沿っている場合と比較して、本体ケーシング２と外気との接触面積を大きく確保することができる。
【０１２２】
なお、回路基板６０は、通電されることにより、熱を発生する。
【０１２３】
その結果、本体ケーシング２内において、回路基板６０から発生し、上方へ向かう熱を、回路熱放熱領域６５を介して、効率よく放熱することができ、本体ケーシング２自体が高温になることを抑制することができる。
（８）また、このプリンタ１によれば、図２に示すように、回路熱放熱領域６５を、回路基板６０の近傍に配置することができるので、回路基板６０から発生する熱を確実に放熱することができる。
（９）また、このプリンタ１によれば、図３Ａおよび図４Ａに示すように、回路熱放熱領域６５が前後方向全域にわたって延びているので、本体ケーシング２と外気との接触面積をより大きく確保することできる。
【０１２４】
そのため、本体ケーシング２内において、回路基板６０から発生する熱を、回路熱放熱領域６５を介して、より効率よく放熱することができる。
（１０）また、このプリンタ１によれば、図２および図４Ａに示すように、右アウタフレーム３０Ｒにおいて、傾斜する領域を形成するという簡易な構成により、回路熱放熱領域６５を画定することができる。
（１１）また、このプリンタ１によれば、図２および図４Ａに示すように、右アウタフレーム３０Ｒでは、回路熱放熱領域６５よりも上方の領域においても、回路熱放熱領域６５と同様に傾斜している。
【０１２５】
そのため、本体ケーシング２と外気との接触面積をより大きく確保することができる。
（１２）また、このプリンタ１によれば、図２に示すように、モータ熱放熱領域６６は、本体ケーシング２の左アウタフレーム３０Ｌに配置されている。そして、モータ熱放熱領域６６は、左右方向に投影したときにモータ６１と重なる一方、上方から上下方向に沿って見たときに面積を有するように構成されている。
【０１２６】
そのため、モータ熱放熱領域６６が上方から見て面積を有しているので、モータ熱放熱領域６６を有する左アウタフレーム３０Ｌが、上下方向に沿っている場合と比較して、本体ケーシング２と外気との接触面積を大きく確保することができる。
【０１２７】
なお、モータ６１は、駆動力が入力されることにより、熱を発生する。
【０１２８】
その結果、本体ケーシング２内において、モータ６１から発生し、上方へ向かう熱を、モータ熱放熱領域６６を介して、効率よく放熱することができ、本体ケーシング２自体が高温になることを抑制することができる。
（１３）また、このプリンタ１によれば、図２に示すように、モータ熱放熱領域６６を、モータ６１の近傍に配置することができるので、モータ６１から発生する熱を確実に放熱することができる。
（１４）また、このプリンタ１によれば、図３Ｂおよび図４Ｂに示すように、左アウタフレーム３０Ｌにおいて、モータ熱放熱領域６６が前後方向全域にわたって延びているので、本体ケーシング２と外気との接触面積をより大きく確保することができる。
【０１２９】
そのため、本体ケーシング２内において、モータ６１から発生する熱を、モータ熱放熱領域６６を介して、より効率よく放熱することができる。
（１５）また、このプリンタ１によれば、図２および図４Ｂに示すように、左アウタフレーム３０Ｌにおいて、傾斜する領域を形成するという簡易な構成により、モータ熱放熱領域６６を画定することができる。
（１６）また、このプリンタ１によれば、図２および図４Ｂに示すように、左アウタフレーム３０Ｌでは、モータ熱放熱領域６６よりも上方の領域においても、モータ熱放熱領域６６と同様に傾斜している。
【０１３０】
そのため、本体ケーシング２と外気との接触面積をより大きく確保することができる。
（１７）また、このプリンタ１によれば、図３Ａおよび図３Ｂに示すように、左右方向に投影したときに、定着熱放熱領域６４と、回路熱放熱領域６５と、モータ熱放熱領域６６とが重なっていないので、本体ケーシング２と外気とが接触する領域を多く確保することができる。
【０１３１】
そのため、より効率よく、本体ケーシング２内の熱を放熱することができる。
（１８）また、このプリンタ１によれば、図２に示すように、正面視において、給紙トレイ１７を構成する右インナフレーム３１Ｒの下部プレート３７と、左インナフレーム３１Ｌの下部プレート３７との左右方向寸法は、左右方向に投影したときに感光ドラム９と重なる右インナフレーム３１Ｒの上部プレート３５と、左インナフレーム３１Ｌの上部プレート３５との左右方向寸法よりも大きい。
【０１３２】
そのため、本体ケーシング２の小型化を図ることができながら、用紙Ｐが載置される給紙トレイ１７は大きく確保することができる。
（１９）また、このプリンタ１によれば、図２に示すように、右アウタフレーム３０Ｒ、および、左アウタフレーム３０Ｌのすべてを傾斜させることで、本体ケーシング２内の熱をより一層効率良く放熱することができる。
（２０）また、このプリンタ１によれば、図２および図５に示すように、複数の脚部５７の少なくとも一部が、本体ケーシング２の重心から離れた位置に配置されるので、本体ケーシング２を設置面Ｓに対して、安定して設置することができる。
６．第２実施形態
上記した第１実施形態では、図２に示すように、右壁２１の右アウタフレーム３０Ｒは、その全体が下方から上方に向かうにつれて、左壁２２に向かって傾斜しており、左壁２２の左アウタフレーム３０Ｌは、その全体が下方から上方に向かうにつれて、右壁２１に向かって傾斜している。
【０１３３】
これに対して、本発明の第２実施形態では、図６Ａに示すように、右アウタフレーム３０Ｒは、右垂直部分７２Ｒと、右傾斜部分７３Ｒとを備え、左アウタフレーム３０Ｌは、右アウタフレーム３０Ｒと正面視において左右対称となる左垂直部分７２Ｌと、左傾斜部分７３Ｌとを備えている。
【０１３４】
右垂直部分７２Ｒは、右アウタフレーム３０Ｒの下方部分であって、左右方向に投影したときに、回路基板６０よりも下方となるように配置されている。右垂直部分７２Ｒは、上下方向に沿って延びている。
【０１３５】
右傾斜部分７３Ｒは、右アウタフレーム３０Ｒの上方部分であって、左右方向に投影したときに、加熱ローラ１５および回路基板６０と重なるように配置されている。右傾斜部分７３Ｒは、右垂直部分７２Ｒの上端縁から連続しており、上方に向かうにつれて、左方に、すなわち左壁２２に向かって傾斜している。右傾斜部分７３Ｒは、上記した右定着熱放熱領域６４Ｒと、回路熱放熱領域６５とを有している。
【０１３６】
このように、右アウタフレーム３０Ｒは、下方から上方に向かう途中において、左方に屈折している。
【０１３７】
左垂直部分７２Ｌは、左アウタフレーム３０Ｌの下方部分であって、左右方向に投影したときに、モータ６１よりも下方となるように配置されている。左垂直部分７２Ｌは、上下方向に沿って延びている。
【０１３８】
左傾斜部分７３Ｌは、左アウタフレーム３０Ｌの上方部分であって、左右方向に投影したときに、加熱ローラ１５およびモータ６１と重なるように配置されている。左傾斜部分７３Ｌは、左垂直部分７２Ｌの上端縁から連続しており、上方に向かうにつれて、右方に、すなわち右壁２１に向かって傾斜している。左傾斜部分７３Ｌは、上記した左定着熱放熱領域６４Ｌと、モータ熱放熱領域６６とを有している。
【０１３９】
このように、左アウタフレーム３０Ｌは、下方から上方に向かう途中において、右方に屈折している。
【０１４０】
第２実施形態においても、上記した第１実施形態と同様の作用効果を得ることができる。
７．第３実施形態
上記した第１実施形態では、図２に示すように、右壁２１の右アウタフレーム３０Ｒは、その全体が下方から上方に向かうにつれて、一定の角度で左壁２２に向かって傾斜しており、左壁２２の左アウタフレーム３０Ｌは、その全体が下方から上方に向かうにつれて、一定の角度で右壁２１に向かって傾斜している。
【０１４１】
これに対して、本発明の第３実施形態では、図６Ｂに示すように、右アウタフレーム３０Ｒおよび左アウタフレーム３０Ｌのそれぞれは、下方から上方に向かうにつれて、その傾斜が徐々に垂直に近づくように漸近的に湾曲している。つまり、本体ケーシング２は、正面視において、裾野が広がる略台形状を有している。
【０１４２】
第３実施形態においても、上記した第１実施形態と同様の作用効果を得ることができる。
８．第４実施形態
上記した第１実施形態では、図２に示すように、右壁２１の右アウタフレーム３０Ｒは、その全体が下方から上方に向かうにつれて、左壁２２に向かって傾斜しており、左壁２２の左アウタフレーム３０Ｌは、その全体が下方から上方に向かうにつれて、右壁２１に向かって傾斜している。
【０１４３】
これに対して、本発明の第４実施形態では、図７Ａに示すように、右アウタフレーム３０Ｒは、右垂直部分７２Ｒと、右階段部分７８Ｒとを備え、左アウタフレーム３０Ｌは、右アウタフレーム３０Ｒと正面視において左右対称となる左垂直部分７２Ｌと、右階段部分７８Ｒとを備えている。
【０１４４】
右垂直部分７２Ｒは、右アウタフレーム３０Ｒの下方部分および中央部分であって、左右方向に投影したときに、回路基板６０と重なるとなるように配置されている。右垂直部分７２Ｒは、上下方向に沿って延びている。
【０１４５】
右階段部分７８Ｒは、右アウタフレーム３０Ｒの上方部分であって、左右方向に投影したときに、加熱ローラ１５と重なるように配置されている。右階段部分７８Ｒは、右垂直部分７２Ｒの上端縁から連続しており、上方に向かうにつれて、左方に、すなわち左壁２２に向かう階段状を有している。右階段部分７８Ｒは、上記した右定着熱放熱領域６４Ｒを有している。
【０１４６】
左垂直部分７２Ｌは、左アウタフレーム３０Ｌの下方部分であって、左右方向に投影したときに、モータ６１と重なるように配置されている。左垂直部分７２Ｌは、上下方向に沿って延びている。
【０１４７】
左階段部分７８Ｌは、左アウタフレーム３０Ｌの下方部分および中央部分であって、左右方向に投影したときに、加熱ローラ１５と重なるように配置されている。左階段部分７８Ｌは、左垂直部分７２Ｌの上端縁から連続しており、上方に向かうにつれて、右方に、すなわち右壁２１に向かう階段状を有している。左階段部分７８Ｌは、上記した左定着熱放熱領域６４Ｌを有している。
【０１４８】
第４実施形態においても、上記した第１実施形態と同様の作用効果を得ることができる。
９．第５実施形態
本発明の第５実施形態では、図７Ｂに示すように、右アウタフレーム３０Ｒは、さらに右通気部８１Ｒを備え、左アウタフレーム３０Ｌは、さらに左通気部８１Ｌを備えている。
【０１４９】
右通気部８１Ｒは、右アウタフレーム３０Ｒにおける右定着熱放熱領域６４Ｒと一部重なっており、図示しないが、右アウタフレーム３０Ｒの後方部分に配置されている。右通気部８１Ｒは、複数の右通気口８２Ｒと、複数の右延出部８３Ｒとを備えている。
【０１５０】
複数の右通気口８２Ｒは、上下方向に互いに間隔を空けて配置されている。右通気口８２Ｒは、右アウタフレーム３０Ｒを、側面視において前後方向に延びる略直線状に貫通している。
【０１５１】
複数の右延出部８３Ｒのそれぞれは、複数の右通気口８２Ｒのそれぞれに対応しており、右アウタフレーム３０Ｒの右面に配置されている。右延出部８３Ｒは、対応する右通気口８２Ｒの上端縁から右方に向かって突出する前後方向に延びる略突条を有している。
【０１５２】
左通気部８１Ｌは、左アウタフレーム３０Ｌにおける左定着熱放熱領域６４Ｌと一部重なっており、図示しないが、左アウタフレーム３０Ｌの後方部分に配置されている。左通気部８１Ｌは、右通気部８１Ｒと正面視において左右対称となる複数の左通気口８２Ｌと、複数の左延出部８３Ｌとを備えている。
【０１５３】
これにより、アウタフレーム３０が、通気部８１を備えていない場合と比較して、エンクロージャ３９内において温められた空気をより効率よく循環させることができる。
【０１５４】
また、第５実施形態においても、上記した第１実施形態と同様の作用効果を得ることができる。
１０．変形例
本発明の変形例として、例えば、上記した図２に示す第１実施形態に対して、図８Ａおよび図８Ｂに示すように、右アウタフレーム３０Ｒまたは左アウタフレーム３０Ｌのいずれか一方のみを傾斜するように構成し、右アウタフレーム３０Ｒまたは左アウタフレーム３０Ｌのいずれか他方を上下方向に沿って延びるように構成することもできる。
【０１５５】
また、上記した図６Ａに示す第２実施形態に対して、垂直部分７２の上下方向寸法を大きくし、傾斜部分７３の上下方向寸法を小さくすることもできる。さらに、右アウタフレーム３０Ｒまたは左アウタフレーム３０Ｌのいずれか一方のみが垂直部分７２を備えるように構成することもできる。
【０１５６】
また、上記した図６Ｂに示す第３実施形態に対して、右アウタフレーム３０Ｒまたは左アウタフレーム３０Ｌのいずれか一方のみを湾曲させ、右アウタフレーム３０Ｒまたは左アウタフレーム３０Ｌのいずれか他方を傾斜、または、上下方向に沿って延びるように構成することもできる。
【０１５７】
また、上記した図７Ａに示す第４実施形態に対して、右アウタフレーム３０Ｒまたは左アウタフレーム３０Ｌのいずれか一方のみが段差部分７８を備えるように構成することもできる。さらに、垂直部分７２を傾斜するように構成することもできる。
【０１５８】
また、上記した図７Ｂに示す第５実施形態に対して、右アウタフレーム３０Ｒまたは左アウタフレーム３０Ｌのいずれか一方のみが、通気部８１を備えるように構成することもできる。
【０１５９】
また、上記した各実施形態に対して、定着熱放熱領域６４、回路熱放熱領域６５、および、モータ熱放熱領域６６のそれぞれは、アウタフレーム３０の前後方向全域ではなく、アウタフレーム３０の前後方向の６０％以上、１００％未満の領域とすることもできる。
【０１６０】
このような変形例においても、上記した第１実施形態と同様の作用効果を得ることができる。
【符号の説明】
【０１６１】
１      プリンタ
２      本体ケーシング
６      定着ユニット
９      感光ドラム
１５    加熱ローラ
１７    給紙トレイ
２５    上壁
２６    下壁
３０Ｌ  左アウタフレーム
３０Ｒ  右アウタフレーム
３１Ｌ  左インナフレーム
３１Ｒ  右インナフレーム
５７    脚部
６０    回路基板
６１    モータ
６４    定着熱放熱領域
６４Ｒ  右定着熱放熱領域
６４Ｌ  左定着熱放熱領域
６５    回路熱放熱領域
６６    モータ熱放熱領域
Ａ      ドラム軸線
Ｐ      用紙
Ｓ      設置面
【図１】
2015197523.tif 000003
【図２】
2015197523.tif 000004
【図３】
2015197523.tif 000005
【図４】
2015197523.tif 000006
【図５】
2015197523.tif 000007
【図６】
2015197523.tif 000008
【図７】
2015197523.tif 000009
【図８】
2015197523.tif 000010